(57)【特許請求の範囲】
【請求項１】
二つ折りした矩形状の柔軟な二枚重ねフィルムのうち、一方のフィルムの略中央部を、該二枚重ねフィルムの二つ折り一端部に平行な方向の折目に沿って折り曲げて突出して重ね合わせて構成される延設部と、該延設部の重ね合わせ内面側に、該二枚重ねフィルムの前記一端部に平行な方向に開封・再封可能なリニアーチャックを備え、該二枚重ねフィルム及び延設部における前記一端部に直交する方向に対向するそれぞれ外端部に密封シール部を備え、該二枚重ねフィルムの前記一端部と該一端部に平行な方向の延設部の外端部とにそれぞれ折目による密封閉塞部を備え、該二枚重ねフィルムの前記一端部に対向する他端部に内容物充填用の開放部を備えることを特徴とするチャック付き密封用包装材。
【請求項２】
前記二枚重ねフィルムの前記一端部に備える密封閉塞部が、二つ折りによる二枚重ねフィルムの折目部である請求項１記載のチャック付き密封用包装材。
【請求項３】
前記二枚重ねフィルムの前記一端部に備える密封閉塞部が、密封シール部である請求項１記載のチャック付き密封用包装材。
【請求項４】
前記延設部の外端部に備える密封閉塞部が、前記一方のフィルムの二つ折りによる二枚重ねフィルムの折目部である請求項１又は請求項２又は請求項３記載のチャック付き密封用包装材。
【請求項５】
前記延設部の外端部に備える密封閉塞部が、密封シール部である請求項１又は請求項２又は請求項３記載のチャック付き密封用包装材。
【請求項６】
請求項１又は請求項２又は請求項３又は請求項４又は請求項５記載のチャック付き密封用包装材を用いた包装体であって、前記内容物充填用の開放部が、内容物を充填後に密封シールされていることを特徴とするチャック付き密封包装体。
【発明の詳細な説明】
【０００１】
【発明の属する技術分野】
本発明は、固形状や液体状の食品類をはじめとする各種物品を密封包装するための柔軟な合成樹脂フィルム製の包装材であって、開封部分に開封方向に沿って再封用のリニアーチャックを備えた密封用包装材に関する。
【０００２】
【従来の技術】
従来、固形状や液体状の食品類をはじめとする各種物品を密封包装するための開封部分に開封方向に沿って再封用のリニアーチャックを備えた柔軟な合成樹脂フィルム製の包装材としては、下記のようなものがある。
【０００３】
例えば、図２（ａ）に示すように、折目２２を介して二つ折りにて重ね合わの矩形状の柔軟なフィルム２１が用いられ、その二つ折り二枚重ねフィルム２１の対向する二方の開放端部を加熱加圧して密封シール部２４、２５を設け、折目２２と対向する残る一方の開放端部２６に沿って近接するように、それぞれ重ね合わせ内面側にリニアー凹部とリニアー凸部とによるリニアーチャック２３が取り付け固定されたものがある。
【０００４】
この包装材は、図２（ｂ）に示すように、内容物を開放端部２６側から充填した後、その開放端部２６を加熱加圧して密封シール部２７により密封包装され、リニアーチャック２３と密封シール部２７との間を、シール部２４に設けた切込部２８から平行方向にカッティングラインＣに沿って切り離すことにより、包装材はリニアーチャック２３を開封部分として開封及び再封できるようになっている。
【０００５】
また、図３（ａ）に示すように、折目２２を介して二つ折りにて重ね合わの矩形状の柔軟なフィルム２１が用いられ、その二つ折り二枚重ねフィルム２１の対向する二方の開放端部を加熱加圧して密封シール部２４、２５を設け、折目２２に沿って近接するように、それぞれ重ね合わせ内面側にリニアー凹部とリニアー凸部とによるリニアーチャック２３が取り付け固定されたものがある。
【０００６】
この包装材は、図２（ｂ）に示すように、内容物を折目２２と対向する残る一方の開放端部２６から充填した後、その開放端部２６を加熱加圧して密封シール部２７により密封包装され、リニアーチャック２３と折目２２との間を、シール部２４に設けた切込部２８から平行方向にカッティングラインＣに沿って切り離すことにより、包装材はリニアーチャック２３を開封部分として開封及び再封できるようになっている。
【０００７】
【発明が解決しようとする課題】
上記図２、図３に示すような包装材は、全体形状が偏平であり且つ開封部分がその一端部にあるために、カッティングラインＣに沿って包装材の一端部を切り離した後、包装材のリニアーチャック２３を開封し、その偏平な包装材を水平にテーブル等に放置したり、あるいは水平にテーブル等に放置して包装材のリニアーチャック２３が不用意に開いた場合などには、一端部にあるリニアーチャック２３の開封部分から内容物が横漏れを起こしたり、内容物の漏れ出しにより周囲を汚したりすることがあった。
【０００８】
本発明は、上記のようなリニアーチャックにより開封及び再封できる全体形状が偏平形状の包装材において、その偏平な包装材を水平にテーブル等に放置したり、あるいは包装材のリニアーチャックが不用意に開いた場合などに、包装材のリニアーチャックの開封部分から内容物が包装材から漏れしたり、不用意に漏れ出すことを防止することにある。
【０００９】
【課題を解決するための手段】
本発明の請求項１に係る発明は、二つ折りした矩形状の柔軟な二枚重ねフィルムのうち、一方のフィルムの略中央部を、該二枚重ねフィルムの二つ折り一端部に平行な方向の折目に沿って折り曲げて突出して重ね合わせて構成される延設部と、該延設部の重ね合わせ内面側に、該二枚重ねフィルムの前記一端部に平行な方向に開封・再封可能なリニアーチャックを備え、該二枚重ねフィルム及び延設部における前記一端部に直交する方向に対向するそれぞれ外端部に密封シール部を備え、該二枚重ねフィルムの前記一端部と該一端部に平行な方向の延設部の外端部とにそれぞれ折目による密封閉塞部を備え、該二枚重ねフィルムの前記一端部に対向する他端部に内容物充填用の開放部を備えることを特徴とするチャック付き密封用包装材である。
【００１０】
本発明の請求項２に係る発明は、上記請求項１に係る発明のチャック付き密封用包装材において、前記二枚重ねフィルムの前記一端部に備える密封閉塞部が、二つ折りによる二枚重ねフィルムの折目部であるチャック付き密封用包装材である。
【００１１】
本発明の請求項３に係る発明は、上記請求項１に係る発明のチャック付き密封用包装材において、前記二枚重ねフィルムの前記一端部に備える密封閉塞部が、密封シール部であるチャック付き密封用包装材である。
【００１２】
本発明の請求項４に係る発明は、上記請求項１又は請求項２又は請求項３に係る発明のチャック付き密封用包装材において、前記延設部の外端部に備える密封閉塞部が、前記一方のフィルムの二つ折りによる二枚重ねフィルムの折目部であるチャック付き密封用包装材である。
【００１３】
本発明の請求項５に係る発明は、上記請求項１又は請求項２又は請求項３に係る発明のチャック付き密封用包装材において、前記延設部の外端部に備える密封閉塞部が、密封シール部であるチャック付き密封用包装材である。
【００１４】
本発明の請求項６に係る発明は、上記請求項１又は請求項２又は請求項３又は請求項４又は請求項５記載チャック付き密封用包装材を用いた包装体であって、前記内容物充填用の開放部が、内容物を充填後に密封シールされていることを特徴とするチャック付き密封包装体である。
【００１５】
【発明の実施の形態】
本発明のチャック付き密封用包装材の実施の形態を、図１（ａ）〜（ｃ）に基づいて以下に詳細に説明する。
【００１６】
図１（ａ）は、本発明の包装材の側断面図であり、矩形状の柔軟な合成樹脂フィルム（又は合成樹脂フィルムと、アルミ箔、紙シート、蒸着フィルムなどとの複合フィルム）が、折目部５を介して折り返されて、それぞれ二枚のフィルム１ａ、１ｂの重ね合わせにより構成された二枚重ねフィルムＡが形成されている。
【００１７】
その二枚重ねフィルムＡ（１ａ、１ｂ）のうち、一方のフィルム１ａの略中央部には、該フィルム１ａが二枚重ねフィルムＡの一端部に平行な方向の折目部２を介して折り曲げられ、さらに、その折目部２に対して平行な折目部３を介して反対方向に折り返され、さらに、それら折目部と平行な折目部４を介して反対方向に折り曲げられることにより構成されたフィルム１ａの重ね合わせにより突出する延設部Ｂが設けられている。そして、該二枚重ねフィルムＡの一端部に形成されている前記折目部５に対して平行に対向する他端部は、内容物を充填するための開口部６（開放部）となっている。
【００１８】
フィルム１ａの重ね合わせにより形成された前記延設部Ｂの重ね合わせ内面側には、開封・再封可能なフレキシブルなプラスチック製のリニアーチャック７が二枚重ねフィルムＡの前記一端部と平行な方向に設けられている。該リニアーチャック７はフィルム１ａのそれぞれ重ね合わせ内面に接着（又は融着）により、互いに対向するように取り付け固定されたリニアー凹部７ａとリニアー凸部７ｂとにより構成されていて、互いに凹凸嵌合にて係止することにより密封、再封可能となり、嵌合を解除することにより開封される。
【００１９】
図１（ｂ）は、本発明の包装材の全体斜視図であり、二枚重ねフィルムＡ、及び前記延設部Ｂにおいては、その二枚重ねフィルムＡの前記一端部（図１（ａ）中では折目部５に相当）に直交する方向であって、互いに対向するそれぞれ外端部に、加熱、加圧により形成された密封シール部１１、１２と、密封シール部１３、１４とが設けられている。なお、二枚重ねフィルムＡの重ね合わせ内面、及び前記延設部Ｂの重ね合わせ内面には、熱融着の容易なシーラント層が設けられて、加熱、加圧により密封シールが可能となっている。
【００２０】
二枚重ねフィルムＡの前記一端部には折目部５による密封閉塞部を備え、該一端部の折目部５に平行な方向の延設部Ｂの外端部にも、折目部３による密封閉塞部を備えている。なお、本発明の包装材においては、前記折目部３、５部分の密封閉塞部は必ずしも折目部となっていなくてもよく、例えば、同図１（ｂ）に示すように、折目部３、５に相当する部分を二枚重ねフィルムの開放端部として、それを加熱、加圧して密封シール部１５を形成することにより密封閉塞部としたものでもよい。
【００２１】
本発明の包装材は、上記図１（ｂ）に示すようなものであり、内容物は開口部６より包装材の内部空間部８内に充填されて、その後、図１（ｃ）に示すように開口部６は、加熱、加圧にて密封シール１６が形成されて、内容物の充填された本発明のチャック付き密封包装体が得られる。
【００２２】
本発明のチャック付き密封包装材及びチャック付き密封包装体は、図１（ｃ）に示すように、上記延設部Ｂのリニアーチャック７と、それに平行な方向の延設部Ｂ外端部の密封閉塞部（折目部３又は密封シール部１５）との間を仮想カッティングラインＣに沿ってカッティングすることにより、延設部Ｂ外端部の密封閉塞部を包装材本体から切り離した後、リニアーチャック７の凹凸嵌合を手指にて解除して包装物を開封して内容物を取り出すことができ、そして、嵌合を解除した前記リニアーチャック７を凹凸嵌合することにより、再度密封状態にすることができる。
【００２３】
本発明の包装材の上記延設部Ｂには、そのリニアーチャック７と、それに平行な方向の延設部Ｂ外端部の密封閉塞部（折目部３又は密封シール部１５）との間に、仮想カッティングラインＣに沿って、延設部Ｂの外端部の密封閉塞部を包装材本体から切り離しできるように、印刷によるカッティングマークや、そのマークの一端部に相当する部分の延設部Ｂの密封シール部１３又は密封シール部１４の外端部に切込部１７を形成してもよい。
【００２４】
また、仮想カッティングラインＣに沿ってスムーズにカッティングできるように、少なくともカッティングラインＣの方向に延伸した合成樹脂フィルムや、その複合フィルムなどを使用することができる。
【００２５】
本発明の包装材の二枚重ねフィルムＡとして使用する柔軟な合成樹脂フィルムとしては、例えば、ポリエチレンフィルム、ポリプロピレンフィルム、ポリエチレンテレフタレートフィルム、あるいは、これらのいずれかのフィルムとアルミ箔、紙シート、蒸着フィルムなどとの積層ラミネートによる複合フィルムが使用できる。
【００２６】
【発明の効果】
本発明のチャック付き密封包装材及びチャック付き密封包装体は、内容物を充填した後も全体形状が偏平形状であるが、チャック付き開封部分はその一端部になく、包装材の中央部分における延設部にあるため、包装材の延設部に設けたチャック付き開封部分の外端部にある密封閉塞部をカッティングラインに沿って切り離した後、その偏平な包装材をテーブル等に放置したり、あるいは電子レンジなどにて加熱調理したりして、不用意にチャックが開いた場合に、チャックの開封部分が偏平形状の包装材の一端部にある従来の場合と比較して、チャックの開いた部分から内容物が横漏れを起こすことを完全に回避でき、また、チャックは包装材の中央部分で開き、開く時に内容物の流動力が延設部の全体を起立させる方向に作用するため、従来よりも内容物の漏れ出しを少しでも減少でき、漏れ出しにより周囲を汚したりすることを減少又は回避することができるなどの効果がある。
【００２７】
また、本発明のチャック付き密封包装材は、チャック付きの開封部分が包装材の中央部にあるにも係わらず、内容物を充填するための開口部の位置は、包装材の中央部で無く、包装材の一端部にあるために、従来の袋状のチャック付き包装材への充填操作と同様に包装材の一端部からの充填が可能であって、従来のチャック付き包装材への充填に使用されている充填装置や充填ラインを用いた充填でも可能であり、内容物の充填操作が容易且つ能率的に実施できるなどの効果がある。
【図面の簡単な説明】
【図１】（ａ）は本発明の包装材の側断面図、（ｂ）は本発明の包装材の全体斜視図、（ｃ）はその包装材に内容物を充填後の包装物の全体斜視図。
【図２】（ａ）〜（ｂ）は従来の包装材を説明する平面図。
【図３】（ａ）〜（ｂ）は従来の包装材を説明する平面図。
【符号の説明】
Ａ…二枚重ねフィルム  Ｂ…延設部  Ｃ…カッティングライン
１ａ、１ｂ…フィルム  ２、３、４、５…折目部  ６…開放部  ７…チャック
８…内部空間部
１１、１２…密封シール部  １３、１４…密封シール部  １５…密封シール部
１６…密封シール部  １７…切込部
２１…二枚重ねフィルム  ２２…折目部  ２３…チャック
２４、２５…密封シール部  ２６…開放部  ２７…密封シール部  ２８…切込部
【図１】
0004296626.tif 000002
【図２】
0004296626.tif 000003
【図３】
0004296626.tif 000004